(57)【要約】    【課題】  階層化伝送方式の伝送において、受信電界強度の変動に対し、安定した映像切替え表示を行なうことのできるデジタル放送受信機を提供する。    【解決手段】  階層受信モードが低階層受信モードである場合において、所定の時間が経過するまでは検出された誤り率が閾値を越えたときには、低階層受信モードのまま保持し、所定の時間経過後はこの保持処理を解除し、誤り率が閾値を越えたときには低階層受信モードから高階層受信モードに切り替えるように構成する。    【選択図】  図９
2006238462.tif 000002
【特許請求の範囲】
【請求項１】
階層化伝送により映像が高階層と低階層で送信されているデジタルテレビジョン放送を受信するデジタル放送受信機において、
誤り訂正部の誤り訂正結果に基づいて、誤り率を検出する検出手段と、
該検出手段によって検出された誤り率に基づいて低階層受信モードから高階層受信モードに切り替える手段と、
階層受信モードが高階層受信モードである場合において、誤り率が第１の閾値を越えたときに高階層受信モードから低階層受信モードに階層受信モードを切り替える手段と、
階層受信モードが低階層受信モードである場合において、誤り率が経過するまでに該検出手段によって検出された誤り率が閾値を越えたときには、低階層受信モードのまま保持し、所定の時間経過後は、この保持処理を解除して、該検出手段によって検出された誤り率が第２の閾値を越えたときに、低階層受信モードから高階層受信モードに階層受信モードを切り替える手段と、を備えていることを特徴とするデジタル放送受信機。
【請求項２】
階層化伝送により映像が第１の階層と第２の階層で送信されているデジタルテレビジョン放送を受信するデジタル放送受信機において、
誤り訂正部の誤り訂正結果に基づいて、所定時間毎に誤り率を検出する検出手段と、
該検出手段によって検出された誤り率に基づいて第２の階層受信モードから第１の階層受信モードに切り替える手段と、
階層受信モードが第１の階層受信モードである場合において、誤り率が第１の閾値を越えたときに第１の階層受信モードから第２の階層受信モードに階層受信モードを切り替える手段と、
階層受信モードが第２の階層受信モードである場合において、所定の時間が経過するまでに該検出手段によって検出された誤り率が第２の閾値を越えたときには、第２の階層受信モードのまま保持し、所定の時間経過後は、この保持処理を解除して、該検出手段によって検出された誤り率が閾値を越えたときに、第２の階層受信モードから第１の階層受信モードに階層受信モードを切り替える手段と、を備えていることを特徴とするデジタル放送受信機。
【請求項３】
請求項１又は２記載のデジタル放送受信機において、
前記階層受信モードの切り換えの際に、切換先となる階層の映像を出力させるためのPIDを用いることを特徴とするデジタル放送受信機。
【発明の詳細な説明】
【技術分野】
【０００１】
本発明は、ＢＳ(Broadcasting Satellite)デジタル放送受信機に係わり、特に
階層化伝送されている信号を、受信側において、伝送制御情報に基づき階層受信
する装置に関する。
【背景技術】
【０００２】
衛星によるデジタル多チャンネル放送は、現在、所謂ＣＳデジタル放送が行な
われている。
【０００３】
これに続き、所謂ＢＳデジタル放送については、平成１０年６月１１日郵政省
令第５３号、及び郵政省令第５７号「標準テレビジョン放送等のうちデジタル放
送に関する送信の標準方式の全部を改正する省令」、及び郵政省告示第２６０号
が告示された。
【０００４】
このＢＳデジタル放送は、階層化伝送方式を採用している。
【０００５】
階層化伝送とは、番組の高品質の映像信号に加えて、電波が弱まっても安定に
受信できるような番組の基本となる映像の信号を併せて伝送する方式である。こ
の方式により、強い降雨減衰が生じても映像の基本となる信号のみを受信するこ
とにより画像内容が把握でき、放送の高い信頼性を維持することが可能となる。
【０００６】
この種の従来のデジタル放送受信機は、特開平９−３２１８１３「ディジタル
伝送方法および送信、受信装置」として出願されている。
【０００７】
【特許文献１】特開平９−３２１８１３号公報
【発明の開示】
【発明が解決しようとする課題】
【０００８】
従来のデジタル放送受信機は、降雨減衰等により受信電界強度（例えば、受信
ビット誤り率や受信ＣＮ比など）が低下した場合に、受信機側で低階層受信を行
なう具体的な方法が述べられていない。
【０００９】
具体的には、変動する受信電界強度に対し、視聴者に見やすい低階層映像表示
を実現する手段を持たない。
【００１０】
この発明は上記事情に着目してなされたもので、その目的とするところは、例えば、降雨減衰等の状況においても、低階層映像を見やすく表示する受信機を提供する事にある。
【課題を解決するための手段】
【００１１】
上記課題を解決するために、例えば、階層受信モードが低階層受信モードである場合において、所定の時間が経過するまでは検出された誤り率が閾値を越えたときには、低階層受信モードのまま保持し、所定の時間経過後はこの保持処理を解除し、誤り率が閾値を越えたときには低階層受信モードから高階層受信モードに切り替えるように構成する。
【発明の効果】
【００１２】
本発明によれば、受信電界強度の変動に対し、ヒステリシス幅を持って階層化
映像を切り替える事ができるため、ＢＳデジタル放送において、頻繁に映像が切
り換わる事なく安定して視聴できる受信機を提供できる。  なお、ＢＳデジタル放送以外であっても、高階層と、低階層に分け、多重して伝送するようなシステム(つまり、冗長度をもって多重伝送するシステム)において、同様の効果があることは言うまでもない。
【発明を実施するための最良の形態】
【００１３】
図１は、ＢＳデジタル受信機の一実施例を示す図である。
【００１４】
図１において、１００は高周波受信部、１０２はＢＳ−ＩＦ入力信号、１０４
は伝送路復号器、１０１はＩ信号、１０３はＱ信号、１０５は選択ＴＳ(Transpo
rt Stream, IEC/ISO 13818-1)、１０６は階層切替え信号、１０８は上側下側ビ
ット誤り率、１０７はメモリー、１１０はデマルチプレクサ、１４６は番組デー
タ、１１２はビデオ復号部、１１４は映像出力部、１１６はオーディオ復号部、
１１８はオーディオ出力部、１２０はデータ放送処理部、９０４はＰＳＩ／ＳＩ
(Program Specific Information, ここでは、NIT,PAT等の番組配列情報の総称／
Service Information, ここでは、電子番組ガイド(Electric Program Guide)等
のサービス情報)処理部、１２８はパケットＩＤ、１３０は制御部、１３４は周
波数ＣＨデータ、１３６はチャンネル番号、１３８はリモコン入力部、１４０は
映像信号、１４２はオーディオ信号、１４４はＴＶモニターである。
NIT(Network Information Table), PAT(Program Association Table)等は、IE
C/ISO 13818-1及び、電波産業界標準規格 ARIB STD B10 第1.2版「デジタル放送
に使用する番組配列情報」(平成１１年５月２７日)に規定される。
【００１５】
図２は、伝送路復号器１０４の内部構成を示す図である。
【００１６】
図２において、２０２はＮ相ＰＳＫ復調部、２０６は復調データ、２１０は主
信号復号部、２１２はＴＭＣＣ復号部、２１４はＴＳ選択部、２１６はＢＥＲ（
Bit Error Rate)推定部、２１８は比較部である。
図１において、アンテナ（図示せず）より入力されたＢＳ−ＩＦ信号は、高周
波受信部１００で、周波数変換され、直交分離される事でＩ信号１０１、及びＱ
信号１０３が出力される。
伝送路復号器１０４は、Ｉ信号１０１及びＱ信号１０３をＡ／Ｄ変換し、Ｎ相
ＰＳＫ復調し、データデインタリーブし、逆エネルギー拡散し、誤り訂正を行な
う事で、選択ＴＳ１０５をデマルチプレクサ１１０へ出力する。
図２により、伝送路復号部１０４の動作を説明すると、 伝送路復号器１０４
に入力されたＩ信号１０１及びＱ信号１０３は、Ｎ相ＰＳＫ復調部２０２でＡ／
Ｄ変換されて、Ｎ相ＰＳＫ復調され復調データ２０６として出力される。
ＴＭＣＣ復号部２１２は、復調データ２０６を逆エネルギー拡散し、ＲＳ誤り
訂正を行なって復号データを得る。そして、Ｎ相ＰＳＫ復調部２０２を、このＴ
ＭＣＣ情報に含まれる変調モードになるように制御する。
主信号復号部２１０は、復調データ２０６をデータデインタリーブし、逆エネ
ルギー拡散し、ＲＳ誤り訂正を行なって復号データをＴＳ選択部２１４へ出力す
る。
ＴＳ選択部２１４は、ＴＭＣＣ復号部２１２によって、ＴＭＣＣ情報に指定さ
れたＴＳのみ出力するように制御される。
また、ＢＥＲ推定部２１６は、受信ビット誤り率を検出し、比較部２１８へ出
力する。
図３は、比較部２１８の内部構造を示す図である。
【００１７】
５０２は受信ＢＥＲレジスタ、５０４は基準ＢＥＲレジスタ、５０６は減算回
路、５０８は差レジスタ、１０６は階層切替え信号である。
図３において、初期状態では、基準ＢＥＲレジスタ５０４には、１Ｘ１０Ｅ−
３が設定されている。初期状態では、受信状態が良好で、受信ＢＥＲレジスタ５
０２は、１Ｘ１０Ｅ−８であるとする。
減算回路５０６は、受信ＢＥＲ−基準ＢＥＲを差レジスタ５０８に代入する。
この時、差レジスタ５０８の符号は、負であり、この符号ビットを階層切替え信
号１０６として出力する。
例えば、この時階層切替え信号１０６はＨレベルが出力される。
次に、受信電界強度が変動し、受信ＢＥＲが増大し、受信ＢＥＲが基準ＢＥＲ
より大きくなると、差レジスタ５０８の値は、正になり、階層切替え信号は、Ｌ
レベルとなる。
この時、図１の制御部１３０は、ＰＳＩ／ＳＩ処理部９０４に基づき、階層切
替え信号１０６のＨからＬレベルへの変化を検出し、基準ＢＥＲレジスタ５０４
を、１Ｘ１０Ｅ−６に書き換える。
そして、低階層映像のパケットＩＤをデマルチプレクサ１１０に出力して、低
階層映像を表示させる。
そして受信電界強度が回復し、受信ＢＥＲレジスタの値が１Ｘ１０Ｅ−６より
小さくなった時、差レジスタの値は、再び負となる。
階層切替え信号１０６は、Ｈレベルとなり、ＰＳＩ／ＳＩ処理部９０４は、基
準ＢＥＲレジスタ５０４に、再び１Ｘ１０Ｅ−３を設定する。
そして、高階層映像のパケットＩＤをデマルチプレクサ１１０に出力して、高
階層映像を表示させる。
このように比較部２１８を構成する事により、基準ＢＥＲレジスタは単一で済
み、回路規模を小さくできるメリットがある。
また図４は、比較部２１８の他の実施例を示す図である。
【００１８】
５０２は受信ＢＥＲレジスタ、５０４は基準ＢＥＲレジスタ、５０６は減算回
路、５０８は差レジスタ、１０６は階層切替え信号、５１０は第１ＢＥＲロード
レジスタ、５１２は第２ＢＥＲロードレジスタ、５１４はロード切替えスイッチ
である。
図４において、初期状態では、ロード切替えスイッチ５１４は第１ロードレジ
スタ５１０側につながっており、第１ロードレジスタ５１０には１Ｘ１０Ｅ−３
が設定されているため、基準ＢＥＲレジスタ５０４の値は、１Ｘ１０Ｅ−３であ
る。
初期状態では、受信状態が良好で、受信ＢＥＲレジスタ５０２は、１Ｘ１０Ｅ
−８であるとする。
減算回路５０６は、受信ＢＥＲ−基準ＢＥＲを差レジスタ５０８に代入する。
この時、差レジスタ５０８の符号は、負であり、この符号ビットを階層切替え信
号１０６として出力する。
例えば、この時階層切替え信号１０６はＨレベルが出力され、ロード切替えス
イッチ５１４は、第１ロードレジスタ５１０側に保持される。
次に、受信電界強度が変動し、受信ＢＥＲが増大し、受信ＢＥＲが基準ＢＥＲ
より大きくなると、差レジスタ５０８の値は、正になり、階層切替え信号は、Ｌ
レベルとなる。
この時、ロード切替えスイッチ５１４は、第２ロードレジスタ５１２側に切り
換わり、基準ＢＥＲレジスタ５０４の値は、１Ｘ１０Ｅ−６になる。
そして、図１のＰＳＩ／ＳＩ処理部９０４は、階層切替え信号１０６のＨから
Ｌレベルへの変化を検出し、低階層映像のパケットＩＤをデマルチプレクサ１１
０に出力して、低階層映像を表示させる。
そして受信電界強度が回復し、受信ＢＥＲレジスタの値が１Ｘ１０Ｅ−６より
小さくなった時、差レジスタの値は、再び負となる。
階層切替え信号１０６は、Ｈレベルとなり、ロード切替えスイッチ５１４は、
第１ロードレジスタ５１０側に切り換わり、基準ＢＥＲレジスタ５０４の値は、
１Ｘ１０Ｅ−３になる。
図１のＰＳＩ／ＳＩ処理部９０４は、階層切替え信号１０６のＬからＨレベル
への変化を検出し、高階層映像のパケットＩＤをデマルチプレクサ１１０に出力
して、高階層映像を表示させる。
このように、２つのロードレジスタを持つ事により、比較部２１８単体で自律
的に、ヒステリシス動作を実現でき、外部からの制御は不要であると言うメリッ
トがある。
図１において、ＰＳＩ／ＳＩ処理部９０４は、メモリー１０７に記憶されてい
るＰＭＴ(Program Mapping Table)から低階層映像のvideo_pidを、検出する。
その後、階層切替え信号１０６に対応して、video_pidを、パケットＩＤ１２
８としてデマルチプレクサ１１０へ出力する。
ここでＰＭＴの構造を図６に示す。
図６において、３１０はヘッダ部、３１２はＰＣＲ＿ＰＩＤ、３１４は番組情
報長、３１６は記述子領域１、３１８はストリーム形式識別、３２０はエレメン
タリーＰＩＤ、３２２はＥＳ情報長、３２４は記述子領域２、３２６はdescript
or tag、３２８はdescriptor length、３３０はquality level、３３２はrefere
nce_PIDである。
図中の各信号上の数値は、ビット数であり、エレメンタリーＰＩＤ３２０、de
scriptor tag３２６、quality level３３０、及びreference_PID３３２の下部の
数値は数値例である。
記述子領域２（３２４）は、階層伝送記述子やコンポーネント記述子等複数の
記述子が入るため、ストリーム形式識別３１８から記述子領域２（３２４）まで
の部分は、繰り返し伝送される。
図６では、記述子領域２（３２４）が、階層伝送記述子である例を示している
。
図６において、図１のＰＳＩ／ＳＩ処理部９０４は、ＰＡＴを検索し、図１の
リモコン入力部１３８からのチャンネル番号１３６に一致するＰＭＴ＿ＰＩＤを
知る。これより、ＰＭＴを検出し、受信番組のビデオエレメンタリーＰＩＤ２１
２を知る。数値例では、0x0101である。
さらに、記述子領域２(２１６)より、descriptor tagを読み、0xc0であれば、
このストリーム0x0101は、階層化伝送が行なわれている事が分かる。次に、qual
ity levelを読み、この値が０であれば、このストリーム0x0101が参照するスト
リームは、低階層映像である事を知る。
そして、階層化伝送が行なわれているため、対応する低階層映像のＥＳ−ＰＩ
Ｄをreference_PID２２４(数値例0x1102)から知る。つまり、0x0101であるエレ
メンタリーストリームの低階層映像が0x1102であることが分かる。
図５は、比較部２１８において、ビット誤り率の比較がされて階層切替え信号
１０６が出力される様子を示した図である。
図５において、３０２は上側ビット誤り率、３０４は下側ビット誤り率、３０
６は受信ビット誤り率、１０６は階層切替え信号である。
図５は、受信電界強度が低下し、受信ビット誤り率が増加し、上下に変動した
後下降する様子を示している。
比較部２１８は、図１のＰＳＩ／ＳＩ処理部９０４が高階層受信状態にある時
は、このＢＥＲが上側ビット誤り率３０４より大きくなったら階層切替え信号１
０６をＬレベルにする。
一方、図１のＰＳＩ／ＳＩ処理部９０４が低階層受信状態にある時は、このＢ
ＥＲが下側ビット誤り率３０２より小さくなったら階層切替え信号１０６をＨレ
ベルにするというヒステリシス動作を行なう。
次に、図１において、ＰＳＩ／ＳＩ処理部９０４は、階層切替え信号１０６が
Ｈレベルである時は、パケットＩＤ１２８として、前記高階層ビデオエレメンタ
リーＰＩＤである０ｘ０１０１を出力し、階層切替え信号１０６がＬレベルであ
る時は、パケットＩＤ１２８として、前記低階層ビデオエレメンタリーＰＩＤで
ある０ｘ１１０２を出力する。
デマルチプレクサ１１０は、入力されたパケットＩＤのパケットを検出し、番
組データ１４６として出力する。高階層ビデオパケットや、低階層ビデオパケッ
トは、ビデオ復号器１１２に入力され、復号されて、映像出力部１１４よりＴＶ
モニター１４４に映像信号として出力され、視聴される。
このように動作するため、受信電界強度が変動しても、受信機は頻繁に映像を
切り替えることなく、安定して低階層映像を図１のＴＶモニター１４４に出力で
きる。
図７は、ＰＳＩ／ＳＩ処理部９０４の動作を説明する流れ図である。
図７において、ＰＳＩ／ＳＩ処理部９０４は、動作モードを高階層受信モード
とする。次に、受信したＰＭＴに前回からの変更があったかを検出し、変更が無
い場合は、元のステップ４０４に戻る。
変更があったら、ＰＭＴを解析する（４０６）。
ＰＭＴを解析し、図６のエレメンタリーＰＩＤ３２０を、高階層ＰＩＤとして
記憶する（４０８）。
次に図６の記述子領域２（３２４）のdescriptor tag３２６が０ｘｃ０である
かを判断し、０ｘｃ０でなければステップ４０４に戻る。０ｘｃ０であれば、図
６のquality level３３０が１かを判断し、１であればこのエレメンタリースト
リームは高階層であるため、図６のreference_PID３３２を低階層ＰＩＤとして
記録する（４１４）。
quality level３３０が０であれば、このエレメンタリーストリームは低階層
であるため、ステップ４０８で記録したエレメンタリーＰＩＤを高階層ＰＩＤと
して記録し直す（４２０）。そして図６のreference_PID３３２を高階層ＰＩＤ
として記録する（４２２）。
次に、図１の階層切替え信号１０６がＨであれば、高階層ＰＩＤをパケットＩ
Ｄ１２８として、デマルチプレクサ１１０に出力し、ステップ４０４に戻る。
階層切替え信号１０６がＨであれば、動作モードを低階層受信モードにし（４
２４）、低階層ＰＩＤをパケットＩＤ１２８として、デマルチプレクサ１１０に
出力し、ステップ４０４に戻る。
以上の方法を採用する事により、階層伝送の受信切替えが可能となる。
次に本発明の第２実施例であるデジタル放送受信機を説明する。
【００１９】
図８は、第２実施例であるデジタル放送受信機の伝送路復号器を示す図である。
図８において、１５２は伝送路復号器、２０２はＮ相ＰＳＫ復調部、２０６は
復調データ、２１０は主信号復号部、２１２はＴＭＣＣ復号部、２１４はＴＳ選
択部、２１６はＢＥＲ推定部、２１８は比較部、２２２はレベル保持回路、２２
４は比較部出力である。
図９は、比較部２１８において、ビット誤り率の比較がされて階層切替え信号
１０６が出力される様子を示した図である。
図９において、３０２は上側ビット誤り率、３０４は下側ビット誤り率、３０
６は受信ビット誤り率、２２４は比較部出力、１０６は階層切替え信号である。
図９は、受信電界強度が低下して、受信ビット誤り率が増加し、上下に変動し
た後下降する様子を示している。
図８において、比較部２１８は、図１のＰＳＩ／ＳＩ処理部９０４が高階層受
信状態にある時は、このＢＥＲが図９の上側ビット誤り率３０４より大きくなっ
たら比較部出力２２４をＬレベルにする。
同時に、図１のＰＳＩ／ＳＩ処理部９０４は、高階層受信状態から低階層受信
状態になる。
一方、図１のＰＳＩ／ＳＩ処理部９０４が低階層受信状態にある時は、このＢ
ＥＲが下側ビット誤り率３０２より小さくなったら比較部出力２２４をＨレベル
にするという動作を行なう。
レベル保持回路２２２は、比較部出力２２４のレベルの切り換わりから一定時
間、出力レベルを保持し、階層切替え信号１０６として出力するという動作をす
る。
レベル保持回路２２２は、初期状態は非保持状態にあり、図９の比較部出力２
２４の立ち下がりによって、保持状態になる。保持状態においては、図９の比較
部出力２２４の立ち上がり、及び立ち下がりは無視する。一定時間経過後は、保
持状態から、非保持状態に戻る。
非保持状態において、図９の比較部出力２２４が立ち上がると、レベル保持回
路２２２は、Ｈレベルを出力する。
一定時間は、低階層映像の切り替わりが、視聴者の目に頻繁過ぎるように感じ
ない程度の時間とし、例えば１０秒とする。
図９の例では、レベル保持回路２２２が非保持状態にある時、図１のＰＳＩ／
ＳＩ処理部９０４が高階層受信状態にあり、比較部出力２１８がＨからＬへ変化
する動作を示したが、図１のＰＳＩ／ＳＩ処理部９０４が低階層受信状態にあり
、比較部出力２１８がＬからＨへ変化する場合も同様の動作をする事は明らかで
ある。
このように、伝送路復号器１５２が動作するため、受信電界強度が急速に、大
きく変動しても、受信機は頻繁に映像を頻繁に切り替えることがなく、安定して
低階層映像を図１のＴＶモニター１４４に出力できる。
次に本発明の第３実施例を説明する。
【００２０】
図１０は、第３実施例であるＢＳデジタル受信機を示す図である。
【００２１】
図１０において、１００は高周波受信部、１０２はＢＳ−ＩＦ入力信号、１５
０は伝送路復号器、１０１はＩ信号、１０３はＱ信号、１０５は選択ＴＳ(Trans
port Stream, IEC/ISO 13818-1)、１０６は階層切替え信号、１０７はメモリー
、１５２は上側下側ＣＮ比、１１０はデマルチプレクサ、１４６は番組データ、
１１２はビデオ復号部、１１４は映像出力部、１１６はオーディオ復号部、１１
８はオーディオ出力部、１２０はデータ放送処理部、９０４はＰＳＩ／ＳＩ処理
部、１２８はパケットＩＤ、１３０は制御部、１３４は周波数ＣＨデータ、１３
６はチャンネル番号、１３８はリモコン入力部、１４０は映像信号、１４２はオ
ーディオ信号、１４４はＴＶモニターである。
図１１は、第３実施例の伝送路復号器１５０の内部構成を示す図である。
【００２２】
図１１において、１５０は伝送路復号器、２０２はＮ相ＰＳＫ復調部、２０６
は復調データ、２１０は主信号復号部、２１２はＴＭＣＣ復号部、２１４はＴＳ
選択部、２２０はＣＮ比検出部、２１８は比較部である。
図１１において、伝送路復号器１５０内部のＮ相ＰＳＫ復調部２０２は、Ｉ信
号及びＱ信号をＮ相ＰＳＫ復調する。この時、理想シンボル点に対する受信信号
の位相誤差と、振幅誤差とをＣＮ比検出部２２０へ出力する。
ＣＮ比検出部２２０は、位相誤差と、振幅誤差とから受信ＣＮ比を計算し、比
較部２１８へ出力する。
比較部２１８は、図１０のＰＳＩ／ＳＩ処理部９０４から設定された上側下側
ＣＮ比と、この受信ＣＮ比とを比較し、階層切替え信号を出力する。
比較部２１８は、図１０のＰＳＩ／ＳＩ処理部９０４が高階層受信状態にある
時は、この受信ＣＮ比が下側ＣＮ比より低くなったら階層切替え信号１０６をＬ
レベルにする。
一方、図１０のＰＳＩ／ＳＩ処理部９０４が低階層受信状態にある時は、この
受信ＣＮ比が上側ＣＮ比より高くなったら階層切替え信号１０６をＨレベルにす
るというヒステリシス動作を行なう。
【００２３】
なお、本実施例では受信Ｃ.／Ｎ比を用いた本発明について代表的に図１０及
び図１１を用いて説明したが、これに限らず、第２実施例までの誤り率を用いた
本発明についての説明及び図面において、誤り率を受信Ｃ／Ｎ比に置き換えて説
明することができるのはいうまでもない。
このように動作するため、受信電界強度が変動しても、受信機は頻繁に映像を
切り替えることなく、安定して低階層映像を図１のＴＶモニター１４４に出力で
きる。
【００２４】
以上の実施例により、以下のように構成してもよいことが導かれる。例えば、
ＢＳアンテナからの信号を受信し、Ｉ信号及びＱ信号を出力する高周波受信手
段と、Ｉ信号及びＱ信号をＮ相ＰＳＫ復調し、受信ビット誤り率を推定し、選択されたトランスポートストリームである選択ＴＳを出力し、制御部より設定されたビット誤り率に対応して、切替え信号を出力する伝送路復号手段と、前記選択ＴＳから、指定された番組に対応するＴＳパケットを分離して出力するデマルチプレクサと、ビデオ復号部と、映像出力部と、オーディオ復号部と、オーディオ出力部と、データ放送処理部と、ＰＳＩ／ＳＩ処理部を有するデジタル放送受信機であって、前記伝送路復号手段は、高階層受信状態と、低階層受信状態とを持つとともに、高階層受信状態にある時は、前記受信ビット誤り率が、前記制御部より設定された上限ビット誤り率より大きくなったら、切替え信号を低階層を示すレベルに出力して、低階層受信状態に変化し、低階層受信状態にある時は、前記受信ビット誤り率が、前記制御部より設定された下限ビット誤り率より小さくなったら、切替え信号を高階層を示すレベルに出力して、高階層受信状態に変化するように構成する。
【００２５】
また、ＢＳアンテナからの信号を受信し、Ｉ信号及びＱ信号を出力する高周波受信手段と、Ｉ信号及びＱ信号をＴＣ８値ＰＳＫ、ＱＰＳＫ及びＢＰＳＫ復調し、復調データを出力するＮ相ＰＳＫ復調手段と、前記復調手段で復調された復調データをデインターリーブし、逆エネルギー拡散し、誤り訂正して主信号データを出力する主信号復号手段と、前記主信号データから、トランスポートストリームを選択して、選択ＴＳを出力するＴＳ選択手段と、復調データを誤り訂正して得られたＴＭＣＣデータにより、前記Ｎ相ＰＳＫ復調手段及びＴＳ選択手段を制御するＴＭＣＣ復号手段と、ビット誤り率を推定し、受信ビット誤り率を出力するビット誤り率推定手段と、基準ビット誤り率レジスタの値と、前記受信ビット誤り率とを比較し、切替え信号を出力する比較手段と、前記選択ＴＳから、指定された番組に対応するＴＳパケットを分離して出力するデマルチプレクサと、ビデオ復号部と、映像出力部と、オーディオ復号部と、オーディオ出力部と、データ放送処理部と、ＰＳＩ／ＳＩ処理部を有するデジタル放送受信機であって、前記比較手段は、高階層受信状態と、低階層受信状態とを持つとともに、高階層受信状態にある時は、前記受信ビット誤り率が、前記基準ビット誤り率より低くなったら、切替え信号を低階層を示すレベルに出力して、低階層受信状態に変化し、
低階層受信状態にある時は、前記受信ビット誤り率が、基準ビット誤り率より
高くなったら、切替え信号を高階層を示すレベルに出力して、高階層受信状態に
変化するように構成する。
【００２６】
また、ＢＳアンテナからの信号を受信し、Ｉ信号及びＱ信号を出力する高周波受信手段と、Ｉ信号及びＱ信号をＴＣ８値ＰＳＫ、ＱＰＳＫ及びＢＰＳＫ復調し、復調データを出力するＮ相ＰＳＫ復調手段と、前記復調手段で復調された復調データをデインターリーブし、逆エネルギー拡散し、誤り訂正して主信号データを出力する主信号復号手段と、前記主信号データから、トランスポートストリームを選択して、選択ＴＳを出力するＴＳ選択手段と、復調データを誤り訂正して得られたＴＭＣＣデータにより、前記Ｎ相ＰＳＫ復調手段及びＴＳ選択手段を制御するＴＭＣＣ復号手段と、前記復調データを前記主信号復号手段と、前記ＴＭＣＣ復号手段とに振り分ける復調データスイッチと、前記復調データから同期信号を検出し、同期保持して、復調データスイッチを制御する同期検出手段と、ビット誤り率を推定し、受信ビット誤り率を出力するビット誤り率推定手段と、基準ビット誤り率レジスタと、前記基準ビット誤り率レジスタの値と、前記受信ビット誤り率とを比較し、切替え信号を出力する比較手段と、前記選択ＴＳから、指定された番組に対応するＴＳパケットを分離して出力するデマルチプレクサと、  ビデオ復号部と、映像出力部と、オーディオ復号部と、オーディオ出力部と、データ放送処理部と、ＰＳＩ／ＳＩ処理部を有するデジタル放送受信機であって、
前記基準ビット誤り率レジスタへ値をロードする第１のロードレジスタと、第
２のロードレジスタと、前記基準ビット誤り率レジスタへの値を切り替えるロードレジスタスイッチを有し、前記比較手段は、高階層受信状態と、低階層受信状態とを持つとともに、高階層受信状態にある時は、前記基準ビット誤り率レジスタは、前記ロードレジスタスイッチにより、前記第１のロードレジスタから値をロードしており、前記受信ビット誤り率が、前記基準ビット誤り率より低くなったら、切替え信号を低階層を示すレベルに出力し、前記基準ビット誤り率レジスタへは、前記ロードレジスタスイッチが、前記第２のロードレジスタに切替えて値をロードして、低階層受信状態に変化し、低階層受信状態にある時は、前記受信ビット誤り率が、前記基準ビット誤り率より高くなったら、切替え信号を高階層を示すレベルに出力して、前記基準ビット誤り率レジスタへは、前記ロードレジスタスイッチが、前記第１のロードレジスタに切替えて値をロードして高階層受信状態に変化するように構成する。
【００２７】
また、前記比較手段の出力である前記切替え信号のレベルを、一定期間保持するレベル保持手段を有し、 前記レベル保持手段は、前記切替え信号がＨレベルからＬレベルへ、またはＬレベルからＨレベルへと変化する度に、一定期間出力を保持するようにしてもよい。
【００２８】
また、ＢＳアンテナからの信号を受信し、Ｉ信号及びＱ信号を出力する高周波受信手段と、Ｉ信号及びＱ信号をＴＣ８値ＰＳＫ、ＱＰＳＫ及びＢＰＳＫ復調し、復調データを出力するＮ相ＰＳＫ復調手段と、前記復調手段で復調された復調データをデインターリーブし、逆エネルギー拡散し、誤り訂正して主信号データを出力する主信号復号手段と、前記主信号データから、トランスポートストリームを選択して、選択ＴＳを出力するＴＳ選択手段と、復調データを誤り訂正して得られたＴＭＣＣデータにより、前記Ｎ相ＰＳＫ復調手段及びＴＳ選択手段を制御するＴＭＣＣ復号手段と、前記復調データを前記主信号復号手段と、前記ＴＭＣＣ復号手段とに振り分ける復調データスイッチと、前記復調データから同期信号を検出し、同期保持して、復調データスイッチを制御する同期検出手段と、受信ＣＮ比を検出し、受信ＣＮ比を出力する受信ＣＮ比検出手段と、基準ＣＮ比レジスタの値と、前記受信ＣＮ比とを比較し、切替え信号を出力する比較手段と、前記選択ＴＳから、指定された番組に対応するＴＳパケットを分離して出力するデマルチプレクサと、ビデオ復号部と、映像出力部と、オーディオ復号部と、オーディオ出力部と、データ放送処理部と、ＰＳＩ／ＳＩ処理部を有するデジタル放送受信機であって、前記比較手段は、高階層受信状態と、低階層受信状態とを持つとともに、高階層受信状態にある時は、前記受信ＣＮ比が、前記基準ＣＮ比より低くなったら、切替え信号を低階層を示すレベルに出力して、低階層受信状態に変化し、低階層受信状態にある時は、前記受信ＣＮ比が、基準ＣＮ比より高くなったら、切替え信号を高階層を示すレベルに出力して、高階層受信状態に変化するように構成する。
【００２９】
また、ＢＳアンテナからの信号を受信し、Ｉ信号及びＱ信号を出力する高周波受信手段と、Ｉ信号及びＱ信号をＴＣ８値ＰＳＫ、ＱＰＳＫ及びＢＰＳＫ復調し、復調データを出力するＮ相ＰＳＫ復調手段と、前記復調手段で復調された復調データをデインターリーブし、逆エネルギー拡散し、誤り訂正して主信号データを出力する主信号復号手段と、前記主信号データから、トランスポートストリームを選択して、選択ＴＳを出力するＴＳ選択手段と、復調データを誤り訂正して得られたＴＭＣＣデータにより、前記Ｎ相ＰＳＫ復調手段及びＴＳ選択手段を制御するＴＭＣＣ復号手段と、前記復調データを前記主信号復号手段と、前記ＴＭＣＣ復号手段とに振り分ける復調データスイッチと、前記復調データから同期信号を検出し、同期保持して、復調データスイッチを制御する同期検出手段と、受信ＣＮ比を検出し、受信ＣＮ比を出力する受信ＣＮ比検出手段と、基準ＣＮ比レジスタと、前記基準ＣＮ比レジスタの値と、前記受信ＣＮ比とを比較し、切替え信号を出力する比較手段と、前記選択ＴＳから、指定された番組に対応するＴＳパケットを分離して出力するデマルチプレクサと、ビデオ復号部と、映像出力部と、オーディオ復号部と、オーディオ出力部と、データ放送処理部と、ＰＳＩ／ＳＩ処理部を有するデジタル放送受信機であって、前記基準ビット誤り率レジスタへ値をロードする第１のロードレジスタと、第２のロードレジスタと、前記基準ビット誤り率レジスタへの値を切り替えるロードレジスタスイッチを有し、前記比較手段は、高階層受信状態と、低階層受信状態とを持つとともに、高階層受信状態にある時は、前記基準ＣＮ比レジスタは、前記ロードレジスタスイッチにより、前記第１のロードレジスタから値をロードしており、前記受信ＣＮ比が、前記基準ＣＮ比より低くなったら、切替え信号を低階層を示すレベルに出力し、前記基準ＣＮ比レジスタへは、前記ロードレジスタスイッチが、前記第２のロードレジスタに切替えて値をロードして、低階層受信状態に変化し、低階層受信状態にある時は、前記受信ＣＮ比が、前記基準ＣＮ比より高くなったら、切替え信号を高階層を示すレベルに出力して、前記基準ＣＮ比レジスタへは、前記ロードレジスタスイッチが、前記第１のロードレジスタに切替えて値をロードして高階層受信状態に変化するように構成すればよい。
【００３０】
また、ＢＳアンテナからの信号を受信し、Ｉ信号及びＱ信号を出力する高周波受信手段と、Ｉ信号及びＱ信号をＴＣ８値ＰＳＫ、ＱＰＳＫ及びＢＰＳＫ復調し、復調データを出力するＮ相ＰＳＫ復調手段と、前記復調手段で復調された復調データをデインターリーブし、逆エネルギー拡散し、誤り訂正して主信号データを出力する主信号復号手段と、前記主信号データから、トランスポートストリームを選択して、選択ＴＳを出力するＴＳ選択手段と、復調データを誤り訂正して得られたＴＭＣＣデータにより、前記Ｎ相ＰＳＫ復調手段及びＴＳ選択手段を制御するＴＭＣＣ復号手段と、ビット誤り率を推定し、受信ビット誤り率を出力するビット誤り率推定手段と、制御手段より設定されたビット誤り率と、前記受信ビット誤り率とを比較し、切替え信号を出力する比較手段と、前記選択ＴＳから、指定された番組に対応するＴＳパケットを分離して出力するデマルチプレクサと、
ビデオ復号部と、映像出力部と、オーディオ復号部と、オーディオ出力部と、データ放送処理部と、ＰＳＩ／ＳＩ処理部を有するデジタル放送受信機であって、  前記比較手段は、高階層受信状態と、低階層受信状態とを持つとともに、高階層受信状態にある時は、前記受信ビット誤り率が、前記制御部より設定された上限ビット誤り率より大きくなったら、切替え信号を低階層を示すレベルに出力して、低階層受信状態に変化し、低階層受信状態にある時は、前記受信ビット誤り率が、前記制御部より設定された下限ビット誤り率より小さくなったら、切替え信号を高階層を示すレベルに出力して、高階層受信状態に変化するように構成すればよい。
【００３１】
また、Ｉ信号及びＱ信号をＴＣ８値ＰＳＫ、ＱＰＳＫ及びＢＰＳＫ復調し、復調データを出力するＮ相ＰＳＫ復調手段と、前記復調手段で復調された復調データをデインターリーブし、逆エネルギー拡散し、誤り訂正して主信号データを出力する主信号復号手段と、前記主信号データから、トランスポートストリームを選択して、選択ＴＳを出力するＴＳ選択手段と、復調データを誤り訂正して得られたＴＭＣＣデータにより、前記Ｎ相ＰＳＫ復調手段及びＴＳ選択手段を制御するＴＭＣＣ復号手段と、前記復調データを前記主信号復号手段と、前記ＴＭＣＣ復号手段とに振り分ける復調データスイッチと、前記復調データから同期信号を検出し、同期保持して、復調データスイッチを制御する同期検出手段と、ビット誤り率を推定し、受信ビット誤り率を出力するビット誤り率推定手段と、制御手段より設定されたビット誤り率と、前記受信ビット誤り率とを比較し、切替え信号を出力する比較手段を有する伝送路復号器であって、前記比較手段は、高階層受信状態と、低階層受信状態とを持つとともに、高階層受信状態にある時は、前記受信ビット誤り率が、前記制御部より設定された上限ビット誤り率より大きくなったら、切替え信号を低階層を示すレベルに出力して、低階層受信状態に変化し、低階層受信状態にある時は、前記受信ビット誤り率が、前記制御部より設定された下限ビット誤り率より小さくなったら、切替え信号を高階層を示すレベルに出力して、高階層受信状態に変化するように構成すればよい。
【００３２】
また、ＢＳアンテナからの信号を受信し、Ｉ信号及びＱ信号を出力する高周波受信手段と、Ｉ信号及びＱ信号をＴＣ８値ＰＳＫ、ＱＰＳＫ及びＢＰＳＫ復調し、復調データを出力するＮ相ＰＳＫ復調手段と、前記復調手段で復調された復調データをデインターリーブし、逆エネルギー拡散し、誤り訂正して主信号データを出力する主信号復号手段と、復調データを誤り訂正して得られたＴＭＣＣデータにより、前記Ｎ相ＰＳＫ復調手段及びＴＳ選択手段を制御するＴＭＣＣ復号手段と、前記復調データを前記主信号復号手段と、前記ＴＭＣＣ復号手段とに振り分ける復調データスイッチと、前記復調データから同期信号を検出し、同期保持して、復調データスイッチを制御する同期検出手段と、前記主信号データから、トランスポートストリームを選択して、選択ＴＳを出力するＴＳ選択手段と、ビット誤り率を推定し、受信ビット誤り率を出力するビット誤り率推定手段と、制御手段より設定されたビット誤り率と、前記受信ビット誤り率とを比較し、切替え信号を出力する比較手段と、前記選択ＴＳから、指定された番組に対応するＴＳパケットを分離して出力するデマルチプレクサと、ビデオ復号部と、映像出力部と、オーディオ復号部と、オーディオ出力部と、データ放送処理部と、ＰＳＩ／ＳＩ処理部を有するデジタル放送受信機であって、前記比較手段は、高階層受信状態と、低階層受信状態とを持つとともに、高階層受信状態にある時は、前記受信ビット誤り率が、前記制御部より設定された上限ビット誤り率より大きくなったら、切替え信号を低階層を示すレベルに出力して、低階層受信状態に変化し、
低階層受信状態にある時は、前記受信ビット誤り率が、前記制御部より設定された下限ビット誤り率より小さくなったら、切替え信号を高階層を示すレベルに出力して、高階層受信状態に変化するように構成すればよい。
【図面の簡単な説明】
【００３３】
【図１】本発明の第１実施例であるＢＳデジタル受信機の構成を示すブロック図である。
【図２】本発明の第１実施例の伝送路復号器の構成を示すブロック図である。
【図３】本発明の第1実施例の比較部の構成を示すブロック図である。
【図４】本発明の第１実施例の比較部の他の構成を示すブロック図である。
【図５】本発明の第１実施例の階層切替え信号が出力される様子を示した図である。
【図６】ＰＭＴの構造を示す図である。
【図７】本発明の第１実施例のＰＳＩ／ＳＩ処理部の動作を示すフローチャートである。
【図８】本発明の第２実施例の伝送路復号器の構成を示すブロック図である。
【図９】本発明の第２実施例の階層切替え信号が出力される様子を示した図である。
【図１０】本発明の第３実施例であるＢＳデジタル受信機の構成を示すブロック図である。
【図１１】本発明の第３実施例の伝送路復号器の構成を示すブロック図である。
【符号の説明】
【００３４】
１００…高周波受信部、１０１…Ｉ信号、１０３…Ｑ信号、１０２…ＢＳ−Ｉ
Ｆ入力信号、１０４…伝送路復号器、１０５…選択ＴＳ、１０６…階層切替え信
号、１０７…メモリー、１０８…上側下側ビット誤り率、１１０…デマルチプレ
クサ、１４６…番組データ、１１２…ビデオ復号器、１１４…映像出力部、１１
６…オーディオ復号器、１１８…オーディオ出力部、１２０…データ放送処理部
、９０４…ＰＳＩ／ＳＩ処理部、１２８…パケットＩＤ、１３０…制御部、１３
４…周波数ＣＨデータ、１３６…チャンネル番号、１３８…リモコン入力部、１
４０…映像信号、１４２…オーディオ信号、１４４…ＴＶモニター、
【図１】
2006238462.tif 000003
【図２】
2006238462.tif 000004
【図３】
2006238462.tif 000005
【図４】
2006238462.tif 000006
【図５】
2006238462.tif 000007
【図６】
2006238462.tif 000008
【図７】
2006238462.tif 000009
【図８】
2006238462.tif 000010
【図９】
2006238462.tif 000011
【図１０】
2006238462.tif 000012
【図１１】
2006238462.tif 000013